(57)【要約】【課題】  掘削性能が優れ、作業性・施工性・機動性・経済性・耐久性が良く、且つ、環境に優しく、誰もが容易に取り扱える車両搭載型縦穴掘削装置及び掘削方法を開発・提供する事。【解決手段】  支持部材とガイドセルと上下送り装置と回転掘削機から成り、掘削時はアウトリガーを張り出して車両を固定し、車両に搭載したブームを一端上昇させ、車両の側方に旋回させて、回転掘削機の先端部に設けたワイヤー巻取り用リールを回転させて緩めながら支持部材とガイドセルを垂下して掘削位置に固着して使用し、収納時はブームを上昇させて、ワイヤーを巻取り用リールで巻取りながら回転掘削機中間部のレデューサー部が保持具に挿着するまで巻取り、装置全体を固定させ、ブームを上昇させて車両の前進方向に旋回後、徐々に下降させながらブームの下面に設けた固定板部を車両運転席後部に設けた支持板部へ固定させるもの。【選択図】  図４
2011132661.tif 000002
【特許請求の範囲】
【請求項１】
建柱車やユニック車等のブーム搭載車両のブーム先端部に垂下設置して電気接地工事等の縦穴を掘削施工する装置であって、該装置（Ｓ）は車両に搭載したブーム（Ｂ）先端部に軸支してガイドセルを支持する支持部材（１ｃ）と、支持部材の下端部に軸支したガイドセル（１）と、ガイドセルの後部に装着して回転掘削機（２）を上下移動可能に設けたチェーンフィードモーター等の上下送り装置（３）と、ダウンザーホールハンマー等のワイヤーロープ巻取り用リール（５）付回転掘削機（２）から成り、且つ、掘削時はアウトリガー（ＪＡ）を張り出して車両を固定し、車両（ＣＡ）に搭載したブーム（Ｂ）を一端上昇させ、車両の側方に旋回させて、回転掘削機（２）の先端部に設けたワイヤーロープ巻取り用リール（５）を回転させて緩めながら支持部材（１ｃ）とガイドセル（１）を垂下して掘削位置に固着して使用し、掘削装置収納時はブーム（Ｂ）を上昇させて、ワイヤーロープを巻取り用リール（５）で巻取りながら回転掘削機（２）中間部に設けたレデューサー部（２ｂ）部が保持具（ＳＨ）に挿着するまで巻取り、装置全体を固定させ、且つ、ブーム（Ｂ）を上昇させて車両（ＣＡ）の前進方向に旋回後、徐々に下降させながらブーム（Ｂ）の下面に設けた固定板（Ｂ'）部を車両運転席後部に設けた支持板（ＣＡ'）部へ固定させることを特徴とする車両搭載型縦穴掘削装置。
【請求項２】
支持部材（１ｃ）両端の前後・左右方向及びガイドセル（１）の後端左右方向に揺動軸部をそれぞれ設けることで、ガイドセル（１）を常時垂直状態に保持し、且つ、削孔具を接続する際のネジ穴の位置合せを容易にしたことを特徴とする請求項１記載の車両搭載型縦穴掘削装置。
【請求項３】
日没時等に掘削作業を中断し、急いで現場を退散する場合において、掘削装置を安全・迅速・容易に収納可能で、且つ、掘削位置のさく孔具上部にカラーコーン等の掘削位置表示用安全カバーを被せて即刻退散可能に設けたことを特徴とする掘削方法。
【発明の詳細な説明】
【技術分野】
【０００１】
この発明は、建柱車やユニック車等のブーム搭載車両のブーム先端部に垂下設置して電気接地工事等の縦穴を掘削施工する車両搭載型縦穴掘削装置及び掘削方法に関するものである。
【背景技術】
【０００２】
従来の電気接地工事において、ガイドセルに掘削機を搭載して縦穴を掘削する工法もあるが、クローラーにマウントした大型機械になる為、大掛かりな規模となり街中の電気接地工事には作業性が悪く、現場に持ち込めず不向きである。
【０００３】
又、ガイドセルの小型のものもあるが、トップハンマー方式（打撃機構付）で掘削深度が１５ｍ〜３０ｍと浅く、電気接地工事には向かず、又、騒音も打撃音が高くて街中では使用出来ない等の問題があった。
【０００４】
又、電気接地工事は場所が一定せず、傾斜のある法面や狭隘な場所、道路横の小さな小川の向こう等、様々な状況でも対応可能な掘削装置が要求される。
【先行技術文献】
【特許文献】
【０００５】
これまでに出願されている車両搭載型縦穴掘削装置に関連した特許文献を参考の為、紹介する（特許文献１〜３参照）。
【特許文献１】特開平８−２７０３４８号広報
【特許文献２】特開２００３−５６２７１号広報
【特許文献３】特開２００６−４５８６３号広報
【発明の概要】
【発明が解決しようとする課題】
【０００６】
そこで、上記課題を解決する為に、この発明は掘削性能が際立って優れ、作業性・施工性・機動性・経済性・耐久性が良く、且つ、環境に優しく、誰もが容易に取り扱える車両搭載型縦穴掘削装置及び掘削方法を開発・提供する事にある。
【課題を解決するための手段】
【０００７】
この課題を解決する為の手段として、車両に搭載したブーム先端部に軸支してガイドセルを支持する支持部材と、支持部材の下端部に軸支したガイドセルと、ガイドセルの後部に装着して回転掘削機を上下移動可能に設けたチェーンフィードモーター等の上下送り装置と、ダウンザーホールハンマー等のワイヤーロープ巻取り用リール付回転掘削機から成り、且つ、掘削時はアウトリガーを張り出して車両を固定し、車両に搭載したブームを一端上昇させ、車両の側方に旋回させて、回転掘削機の先端部に設けたワイヤーロープ巻取り用リールを回転させて緩めながら支持部材とガイドセルを垂下して掘削位置に固着して使用し、掘削装置収納時はブームを上昇させて、ワイヤーロープを巻取り用リールで巻取りながら回転掘削機先端のシャンクロッド部が保持具に挿着するまで巻取り、装置全体を固定させ、且つ、ブームを上昇させて車両の前進方向に旋回後、徐々に下降させながらブームの下面に設けた固定板部を車両運転席後部に設けた支持板部へ固定させることを特徴とするものである。
【発明の効果】
【０００８】
この発明の効果として、車両に搭載したブーム先端部に軸支してガイドセルを支持する支持部材と、支持部材の下端部に軸支したガイドセルと、ガイドセルの後部に装着して回転掘削機を上下移動可能に設けたチェーンフィードモーター等の上下送り装置と、ダウンザーホールハンマー等のワイヤーロープ巻取り用リール付回転掘削機から成り、且つ、掘削時はアウトリガーを張り出して車両を固定し、車両に搭載したブームを一端上昇させ、車両の側方に旋回させて、回転掘削機の先端部に設けたワイヤーロープ巻取り用リールを回転させて緩めながら支持部材とガイドセルを垂下して掘削位置に固着して使用し、掘削装置収納時はブームを上昇させて、ワイヤーロープを巻取り用リールで巻取りながら回転掘削機先端のシャンクロッド部が保持具に挿着するまで巻取り、装置全体を固定させ、且つ、ブームを上昇させて車両の前進方向に旋回後、徐々に下降させながらブームの下面に設けた固定板部を車両運転席後部に設けた支持板部へ固定させることで、掘削性能が優れ、作業性・施工性・機動性・経済性・耐久性が良く、且つ、環境に優しく、誰もが容易に取り扱える等、極めて有益なる効果を奏するものである。
【図面の簡単な説明】
【０００９】
【図１】この発明の一実施例を示し、（Ａ）は車両搭載型縦穴掘削装置の平面図で、（Ｂ）は正面図である。
【図２】この発明の一実施例を示し、（Ａ）は車両搭載型縦穴掘削装置の右側面図で、（Ｂ）左側面図である。
【図３】この発明の一実施例を示し、車両搭載型縦穴掘削装置の斜視図である。
【図４】この発明の使用例を示し、車両搭載型縦穴掘削装置の掘削状態を示す斜視図である。
【図５】この発明の使用例を示し、車両搭載型縦穴掘削装置の収納前の状態図を示す
【発明を実施するための形態】
【００１０】
この発明を実施するための形態として、建柱車やユニック車等のブーム搭載車両のブーム先端部に垂下設置して電気接地工事等の縦穴を掘削施工する装置であって、該装置（Ｓ）は車両に搭載したブーム（Ｂ）先端部に軸支してガイドセルを支持する支持部材（１ｃ）と、支持部材の下端部に軸支したガイドセル（１）と、ガイドセルの後部に装着して回転掘削機（２）を上下移動可能に設けたチェーンフィードモーター等の上下送り装置（３）と、ダウンザーホールハンマー等のワイヤーロープ巻取り用リール（５）付回転掘削機（２）から成り、且つ、掘削時はアウトリガー（ＪＡ）を張り出して車両を固定し、車両（ＣＡ）に搭載したブーム（Ｂ）を一端上昇させ、車両の側方に旋回させて、回転掘削機（２）の先端部に設けたワイヤーロープ巻取り用リール（５）を回転させて緩めながら支持部材（１ｃ）とガイドセル（１）を垂下して掘削位置に固着して使用し、掘削装置収納時はブーム（Ｂ）を上昇させて、ワイヤーロープを巻取り用リール（５）で巻取りながら回転掘削機（２）先端のシャンクロッド（２ｂ）部が保持具（ＳＨ）に挿着するまで巻取り、装置全体を固定させ、且つ、ブーム（Ｂ）を上昇させて車両（ＣＡ）の前進方向に旋回後、徐々に下降させながらブーム（Ｂ）の下面に設けた固定板（Ｂ'）部を車両運転席後部に設けた支持板（ＣＡ'）部へ固定させることを特徴とする車両搭載型縦穴掘削装置から構成される。
【００１１】
又、支持部材（１ｃ）両端の前後・左右方向及びガイドセル（１）の後端左右方向に揺動軸部をそれぞれ設けることで、ガイドセル（１）を常時垂直状態に保持し、且つ、削孔具を接続する際のネジ穴の位置合せを容易にしたことを特徴とする車両搭載型縦穴掘削装置から構成される。
【実施例１】
【００１２】
そこで、この発明の一実施例を図１〜図３に基づいて詳述すると、まず、ガイドセル（１）は図１（Ａ）（Ｂ）に示すように高さ１３０ｍｍ×横幅２００ｍｍ×全長２３５０ｍｍの溝形鋼で形成され、且つ、先端部にはフートパッド（１ａ）と後端部には支持部材（１ｃ）を軸支する為のブラケット（１ｂ）を溶着して設けている。
【００１３】
そして、ガイドセル後端より３００ｍｍの位置の下面にチェーンフィードモーター等の上下送り装置（２）を螺着して設け、且つ、ガイドセル（１）後端上面に回転掘削機（２）搭載用マウンチングプレート（２ａ）を設け、且つ、ガイドセル（１）の中心前後端部及び中間部にはスプロケットを設け、且つ、該スプロケットの外周及びチェーンフィードモーターに内造されたスプロケットにチェーン（３ａ）を巻回し、且つ、チェーン（３ａ）の両端をマウンチングプレート（２ａ）の前後に連結させ、且つ、チェーンフィードモーター等の上下送り装置（２）を左・右回転させる事で、回転掘削機（２）搭載用マウンチングプレート（２ａ）が上下移動可能に設けている。
【００１４】
又、上記ガイドセル（１）の上端に設けたブラケット（１ｂ）部には、固定部材（１ｃ）を軸支する為のヒンジ穴が設けられ、且つ、該ヒンジ穴部には固定部材の下端側がヒンジピンによって軸支され、上端側にも下端側の軸穴に対して９０度軸穴をずらして設けたヒンジ穴が設けられ、車両のブーム先端に設けたヒンジ穴付ブラケット部（Ｂ"）にブームの長手方向と平行して軸支可能に設けられている。
【００１５】
又、回転掘削機（２）はアトラスコプコ社製のダウンザホールハンマーを使用し、掘削速度は２０ｍ／ｈで、最大掘削深度は約８０ｍ〜１２０ｍである。又、エアーブロー用コンプレッサーもデンヨー（株）社製（ＤＩＳ−１１０ＶＰＢ）を使用し、１２０ｍの地下水を１２気圧で吹き上げるハイパワー機能を備えている。
【００１６】
又、上記回転掘削機（２）の先端に取り付けるさく孔具はアトラスコプコ社製ＯＤＥＸ方式を採用し、ケーシングの外径と同径の穴を先端の偏心ビットで削孔し、同時にケーシングを連れて掘進する方式である。
【００１７】
続いて、本掘削装置（Ｓ）は２．５トンクラスの吊り揚げ能力を有する建柱車又はユニック車等のブーム搭載型車両のブーム先端部に軸支して、短時間で容易に出し入れ可能に設けたものである。
【００１８】
次に、この発明の車両搭載型縦穴掘削装置の使用方法について説明すると、図４に示すように、掘削時は前後・左右４本のアウトリガー（ＪＡ）を張り出して車両を固定し、車両（ＣＡ）に搭載したブーム（Ｂ）を一端上昇させ、車両の側方に旋回させて、回転掘削機（２）の先端部に設けたワイヤーロープ巻取り用リール（５）を回転させて緩めながら支持部材（１ｃ）とガイドセル（１）を垂下してガイドセル先端のフートパッド（１ａ）を掘削位置に固着して使用する。
【００１９】
そして、コンプレッサーから供給されたエアーと水と潤滑オイルを混合した噴霧状の混合空気を潤滑オイラーとエアーホース（Ｈ）を経由して回転掘削機（２）先端部のスィーベルジョイント（４）部に送り込み、掘削時に出る繰り粉の粉塵（Ｐ）を回転掘削機（２）とロッド（６）の接合部に設けた粉塵飛散防止用カバー（７）部から排出させて、極力粉塵を飛散させないよう配慮されている。
【００２０】
そして、掘削作業が終了し、掘削装置収納時はブーム（Ｂ）を上昇させて、ワイヤーロープを巻取り用リール（５）で巻取りながら回転掘削機（２）中間部に設けたレデューサー（２ｂ）部が保持具（ＳＨ）に挿着するまで巻取り、装置全体をブームの下面部に横向きに固定させ、且つ、ブーム（Ｂ）を上昇させて車両（ＣＡ）の前進方向に旋回後、徐々に下降させながらブーム（Ｂ）の下面に設けた固定板（Ｂ'）部を車両運転席後部に設けた支持板（ＣＡ'）部へ固定させる。
【産業上の利用可能性】
【００２１】
この発明の車両搭載型縦穴掘削装置は、掘削性能が際立って優れ、作業性・施工性・機動性・経済性・耐久性が良く、且つ、環境に優しく、誰もが容易に取り扱える為、多くの電気接地工事関係市場に寄与する点で産業上の利用可能性を有する。
【符号の説明】
【００２２】
１  ガイドセル
１ａ  フートパッド
１ｂ  ブラケット
１ｃ  支持部材
２  回転掘削機
２ａ  マウンチングプレート
２ｂ  レデューサー
３  上下送り装置
３ａ  チェーン
４  スィーベルジョイント
５  ワイヤーロープ巻取り用リール
５ａ  ワイヤーロープ引掛用フック
６  ロッド
７  粉塵飛散防止用カバー
Ｂ  ブーム
Ｂ'  固定板
Ｂ"  ブラケット部
ＢＬＣ  ブームリフトシリンダー
ＣＡ  車両
ＣＡ'  支持板
Ｈ  ホース
ＪＡ  アウトリガー
Ｐ  粉塵
Ｓ  車両搭載型縦穴掘削装置
ＳＨ  保持具
Ｗ  ワイヤーロープ
【図１】
2011132661.tif 000003
【図２】
2011132661.tif 000004
【図３】
2011132661.tif 000005
【図４】
2011132661.tif 000006
【図５】
2011132661.tif 000007